(57)【特許請求の範囲】
【請求項１】
可燃性冷媒を用い、熱交換器と、室内ファンと、
室内に漏洩した前記可燃性冷媒の濃度を検出するガスセンサーと、
前記室内ファンの制御を行う制御部を有した床置き型室内機を備える空気調和装置において、
前記ガスセンサーは前記室内機の下部に設けられた下部ガスセンサーと、前記室内機の上部に設けられた上部ガスセンサーであって、
前記制御部は、
前記下部ガスセンサーと前記上部ガスセンサーの検出値を取り込み、前記下部ガスセンサーの検出値が前記室内の空間において空気中の冷媒濃度が可燃濃度範囲となる領域が発生していると判断できる値である第１の基準値以上で、且つ、前記上部ガスセンサーの検出値が前記第１の基準値よりも低い第２の基準値以下である場合には前記室内ファンを駆動させる冷媒攪拌ステップと、
前記冷媒攪拌ステップの後、前記下部ガスセンサーと前記上部ガスセンサーの検出値を取り込み、前記上部ガスセンサーの検出値と前記下部ガスセンサーの検出値が前記第１の基準値よりも低く前記第２の基準値よりも高い第３の基準値以上である場合には前記室内ファンを停止させる冷媒攪拌禁止ステップと、
を実行する空気調和装置。
【請求項２】
請求項１に記載の空気調和装置であって、
前記第１の基準値は、前記可燃性冷媒の可燃濃度範囲の下限となる値である空気調和装置。
【請求項３】
請求項１ないし２のいずれか１項に記載の空気調和装置であって、
前記可燃性冷媒は、Ｒ３２若しくはＲ３２を７０重量パーセント以上含む混合冷媒である空気調和装置。
【発明の詳細な説明】
【技術分野】
【０００１】
本発明は、Ｒ３２などの可燃性冷媒を用いた床置き型室内機を備える空気調和装置に関する。
【背景技術】
【０００２】
Ｒ３２などの可燃性冷媒（微燃性冷媒を含む。以下、同じ。）を用いた空気調和装置では、万が一室内機内の熱交換器、または室内機と室外機との接続配管などから室内に冷媒が漏洩した場合、火災等の事故に繋がる可能性がある。
【０００３】
このような冷媒の漏洩による事故を防止するために、従来の空気調和装置では室内機の吹出口等のケーシングの下部に冷媒の漏洩を検出するためのガスセンサーを配置している。このガスセンサーによって冷媒の漏洩が検出されると、ケーシング内の室内ファンが駆動されるように構成されている。
【０００４】
Ｒ３２などの可燃性冷媒は空気よりも重いため、室内に漏洩した冷媒は室内の床面付近に溜まる。このため、室内ファンが駆動されることによって発生する空気の流れによって室内の床面近くに溜まった冷媒が拡散される。これによって、冷媒濃度を燃焼下限濃度以下にし、火災等の事故を防止する技術が知られている（例えば、特許文献１参照。）。
【先行技術文献】
【特許文献】
【０００５】
【特許文献１】特許第４５９９６９９号公報
【発明の概要】
【発明が解決しようとする課題】
【０００６】
Ｒ３２などの可燃性冷媒は空気よりも比重が大きいので、もし空気調和装置の運転停止中に室内に冷媒が漏洩した場合、その冷媒は室内の床面付近に滞留する。
【０００７】
可燃性冷媒は、濃度が所定の範囲内であるとき引火する。この時の濃度範囲を可燃濃度範囲と呼ぶ。図７は、床置き型の室内機２０Ａから冷媒が漏洩した室内空間２の冷媒濃度分布の例をＬＦＬ（可燃濃度範囲の下限値）とＵＦＬ（可燃濃度範囲の上限値）を基準に区分して示す図である。室内ファンが駆動されていない場合の冷媒濃度分布は、図に示すとおりに天井側から床側に向かって徐々に冷媒の濃度が高くなる。
【０００８】
この例では、室内空間２は、ＵＦＬよりも冷媒濃度が高い床面１０１の近くの領域３と、ＬＦＬよりも冷媒濃度が低い天井面１０２に近い領域５と、冷媒濃度がＬＦＬとＵＦＬの間の可燃濃度範囲にあたる上記２つの領域の間の高さの領域４（以下「可燃濃度領域」と呼ぶ。）に分けられる。
【０００９】
この状態で、もし空気調和装置の主電源がオンにされ、室内機２０Ａの室内ファンが駆動されると、室内の床面１０１の付近に滞留していた冷媒が拡散する。この結果、室内の可燃濃度領域４が広がるという問題があった。
【００１０】
以上のような事情に鑑み、本発明の目的は、室内に可燃性冷媒が漏洩した場合に上記の可燃濃度領域４の拡大を防止することのできる空気調和装置を提供することにある。
【課題を解決するための手段】
【００１１】
上記目的を達成するため、本発明の一形態に係る空気調和装置は、可燃性冷媒を用い、熱交換器と、室内ファンと、室内に漏洩した前記可燃性冷媒の濃度を検出するガスセンサーと、前記室内ファンの制御を行う制御部を有した床置き型室内機を備える空気調和装置において、前記ガスセンサーは前記室内機の下部に設けられた下部ガスセンサーと前記室内機の上部に設けられた上部ガスセンサーであって、前記制御部は、前記下部ガスセンサーと前記上部ガスセンサーの検出値を取り込み、前記下部ガスセンサーの検出値が前記室内の空間において空気中の冷媒濃度が可燃濃度範囲となる領域が発生していると判断できる値である第１の基準値以上で、且つ、前記上部ガスセンサーの検出値が前記第１の基準値よりも低い第２の基準値以下である場合には前記室内ファンを駆動させる冷媒攪拌ステップと、前記冷媒攪拌ステップの後、前記下部ガスセンサーと前記上部ガスセンサーの検出値を取り込み、前記上部ガスセンサーの検出値と前記下部ガスセンサーの検出値が前記第１の基準値よりも低く前記第２の基準値よりも高い第３の基準値以上である場合には前記室内ファンを停止させる冷媒攪拌禁止ステップとを実行する。
【００１２】
あるいは、前記第１の基準値は、前記可燃性冷媒の可燃濃度範囲の下限となる値であってよい。
【００１３】
前記可燃性冷媒は、Ｒ３２若しくはＲ３２を７０重量パーセント以上含む混合冷媒であってよい。
【発明の効果】
【００１４】
本発明によれば、室内機から室内に漏洩した可燃性冷媒の濃度が可燃濃度範囲となる領域を最小限にとどめることで、可燃性冷媒に引火する危険性を低減させることができる。
【図面の簡単な説明】
【００１５】
【図１】本発明の一実施形態に係る空気調和装置の構成を示すブロック図である。
【図２】図１の室内機における室内機制御ユニットの構成を示すブロック図である。
【図３】本実施形態の空気調和装置の室内機を前面パネルを省略して前方から見た正面図である。
【図４】図３の室内機の内部構成を示す右側面断面図である。
【図５】本実施形態の空気調和装置の室内機においてガスセンサーの検出値をもとに実行される制御の流れを示すフローチャートである。
【図６】本実施形態の空気調和装置の室内機においてガスセンサーの検出値をもとに実行される制御の流れを示すフローチャートである。
【図７】床置き型の室内機から冷媒が漏洩した室内空間の冷媒濃度分布の例をＬＦＬとＵＦＬを基準に区分して示す図である。
【発明を実施するための形態】
【００１６】
以下、図面を参照しながら、本発明の実施形態を説明する。
図１は、本発明の一実施形態に係る空気調和装置の構成を示すブロック図である。
【００１７】
同図に示すように、本実施形態の空気調和装置１は室外機１０と室内機２０とを有する。
【００１８】
室外機１０は、圧縮機１１、四方弁１２、室外熱交換器１３、室外膨張弁１４、室外ファン１５および室外機制御ユニット１６を有する。
【００１９】
室内機２０は、室内熱交換器２２、室内ファン２３、室内ファン２３の制御を行う制御部である室内機制御ユニット２５、下部ガスセンサー２４及び上部ガスセンサー２９を含む各種のセンサーを有する。
【００２０】
室外機１０と室内機２０は、液管３１とガス管３２を通じて冷媒の流出入が可能なように互いに接続されている。
【００２１】
そして、この空気調和装置１では、冷媒として、例えばＲ３２などの可燃性冷媒（微燃性冷媒を含む。以下、同じ。）が採用されている。
【００２２】
上記の圧縮機１１、四方弁１２、室外熱交換器１３、室外膨張弁１４、室内熱交換器２２、液管３１、ガス管３２によって冷媒回路が構成される。
【００２３】
圧縮機１１は、インバータにより回転数が制御される図示しないモータによって駆動されることで運転容量を可変できる能力可変型圧縮機である。
【００２４】
四方弁１２は４つのポートａ、ｂ、ｃ、ｄを有する。ポートａは圧縮機１１の吐出側と冷媒配管１７ａで接続される。ポートｂは室外熱交換器１３の一方の冷媒出入口と冷媒配管１７ｂで接続される。ポートｃは圧縮機１１の吸入側と冷媒配管１７ｃで接続される。ポートｄはガス管３２との接続を開閉する閉鎖弁１８に冷媒配管１７ｄで接続される。
【００２５】
室外熱交換器１３は、冷媒と室外ファン１５により室外機１０内に取り込まれた外気とを熱交換させるものである。室外熱交換器１３の一方の冷媒出入口は、上述したように四方弁１２のポートｂに冷媒配管１７ｂで接続され、他方の冷媒出入口は、閉鎖弁１９に冷媒配管１７ｅで接続される。冷媒配管１７ｅには室外膨張弁１４が設けられる。
【００２６】
室外ファン１５は、図示しないモータによって駆動されることによって、室外機１０の内部に外気を取り込み、室外熱交換器１３において冷媒と熱交換した外気を室外機１０の外へ放出するための空気の流れを生成する。
【００２７】
室外機制御ユニット１６は、圧縮機１１の起動、停止及び回転数の制御や、四方弁１２の切換制御、室外膨張弁１４の開度制御、さらには、室外ファン１５の駆動制御などを行う。また、室外機制御ユニット１６は、室内機２０の室内機制御ユニット２５からの各種の運転情報を受信し、この運転情報をもとに室外機１０の制御を行うことが可能である。例えば、室外機制御ユニット１６は、室内機２０の室内機制御ユニット２５から、冷媒回路の起動要求や停止要求を受けて、少なくとも、圧縮機１１の起動及び停止の制御をすることができる。
【００２８】
次に、室内機２０の構成について説明する。室内機２０は床に据え付けられた床置き型室内機である。
室内熱交換器２２は、冷媒と室内ファン２３により室内機２０の内部に取り込まれた室内空気とを熱交換させるものである。室内熱交換器２２の一方の冷媒出入口は閉鎖弁２６に冷媒配管２８ａで接続される。室内熱交換器２２の他方の冷媒出入口は、閉鎖弁２７に冷媒配管２８ｂで接続される。閉鎖弁１９と閉鎖弁２７が液管３１で、閉鎖弁１８と閉鎖弁２６がガス管３２でそれぞれ接続されている。
【００２９】
室内ファン２３は、図示しないモータによって駆動されることによって、室内機２０の内部に外気を取り込み、室内熱交換器２２において冷媒と熱交換した外気を室内機２０の外へ放出するための空気の流れを生成する。
【００３０】
下部ガスセンサー２４は、室内機２０から漏洩した冷媒を検出するセンサーであって、後述する室内機２０のケーシング２０３の下部の外表面に設けられている。これによって、室内空間の床面付近に溜った漏洩冷媒の濃度を検出できる。下部ガスセンサー２４は、検出された冷媒濃度に応じた信号を検出結果として室内機制御ユニット２５に出力する。
【００３１】
上部ガスセンサー２９は、室内機２０から漏洩した冷媒を検出するセンサーであって、後述する室内機２０のケーシング２０３若しくは前面パネル２０４の上部の外表面に設けられている。これによって、室内空間の床面よりも高い位置における漏洩冷媒の濃度を検出できる。ガスセンサー２４は、検出された冷媒濃度に応じた信号を検出結果として室内機制御ユニット２５に出力する。
【００３２】
室内機制御ユニット２５は、室内ファン２３の駆動制御、さらには室外機１０の室外機制御ユニット１６に各種の運転情報などを送信する制御部である。
【００３３】
図２は、制御部である室内機制御ユニット２５の構成を示すブロック図である。
室内機制御ユニット２５は、室内機２０の図示しない電装品箱に格納された制御基板に搭載されている。
【００３４】
室内機制御ユニット２５は、ＣＰＵ２５１と、記憶部２５２と、通信部２５３と、センサー入力部２５４と、室内ファン駆動部２５５とを有する。
【００３５】
記憶部２５２は、ＲＯＭ及びＲＡＭで構成されている。記憶部２５２には室内機２０の制御プログラムや下部ガスセンサー２４及び上部ガスセンサー２９を含む各種のセンサーからの検出信号に対応した検出値、使用者による空調運転に関する設定情報などを記憶する。
【００３６】
通信部２５３は、室外機１０の室外機制御ユニット１６との通信を行うインターフェイスである。この通信は有線であっても無線であってもよい。
【００３７】
センサー入力部２５４は、室内機２０の下部ガスセンサー２４及び上部ガスセンサー２９をはじめとする各種のセンサーの出力を取り込み、デジタルデータに変換して各センサーの検出信号に対応する検出値としてＣＰＵ２５１に出力する。
【００３８】
室内ファン駆動部２５５は、ＣＰＵ２５１からの制御指令に従って室内ファン２３の図示しないモータを駆動する。
【００３９】
ＣＰＵ２５１は、センサー入力部２５４を介して下部ガスセンサー２４及び上部ガスセンサー２９を含む各種センサーにより得られた検出値や、室外機１０から送信される室外機１０の制御内容を含んだ通信データが通信部２５３を通じて入力される。ＣＰＵ２５１には、使用者が図示しないリモコンを操作して設定した運転条件（設定温度や風量等）を含んだ信号が入力される。ＣＰＵ２５１は、これら入力された各種情報に基づいて、室内ファン２３の駆動制御や後述する警報器の制御などを行う。また、ＣＰＵ２５１は、入力した各種情報に基づいた運転指示内容を含んだ信号を通信部２５３を介して室外機１０に送信する。
【００４０】
なお、室内機制御ユニット２５は、図示しない蓄電池によってバックアップされており、この空気調和装置１の運転停止時（電源スイッチオフ時）であっても、下部ガスセンサー２４及び上部ガスセンサー２９による冷媒濃度の検出、警報器の制御を行うことができる。
【００４１】
その他、室内機２０には、図示しない警報器が設けられている。警報器は冷媒の漏洩などの異常発生時に警報を発するものである。この警報器は、視覚および聴覚を通して居住者に異常発生を知らせるために、ＬＥＤ（発光ダイオード）からなるランプ（図示しない前面パネルを通して居住者に見えるようになっている。）とブザーとを備える。
【００４２】
［床置き型の室内機の構成］
図３は本実施形態の空気調和装置１の室内機２０を前面パネルを省略して前方から見た正面図である。
図４は図３の室内機２０の内部構成を示す右側面断面図である。
【００４３】
この室内機２０は床置き型の室内機である。この室内機２０は筐体２０１を有する。筐体２０１は、ベース２０２と、ケーシング２０３とで構成される。ケーシング２０３は、前述した室内熱交換器２２や室内ファン２３等を、前面、背面、左側面、右側面及び天井面の５面から覆う直方体形状の部材である。筐体２０１内には、室内熱交換器２２、室内ファン２３、室内機制御ユニット２５の基板などを収納した電装箱２５６などが収容されている。
【００４４】
ケーシング２０３の前面パネル２０４の、室内熱交換器２２に対向する部位には、外部から室内機２０の内部に空気を取り込む吸入口２０５が設けられている。また、前面パネル２０４の下部には、室内機２０の内部から空気を吐き出すための吐出口２０６が設けられている。
【００４５】
室内熱交換器２２の背面側には室内ファン２３が配置されている。この室内ファン２３が駆動されることによって、前面パネル２０４の吸入口２０５を通じて外部から室内機２０の内部に空気が吸い込まれる。室内機２０の内部に吸い込まれた空気は、室内熱交換器２２を通過する際に冷媒と熱交換がなされた後、室内ファン２３とケーシング２０３の背面板２０７の内側面との間の隙間を通って下方へ流れ、前面パネル２０４の吐出口２０６を通じて外部に吐き出される。
【００４６】
また、この室内機２０には、室内に漏洩した冷媒濃度を検出するための下部ガスセンサー２４及び上部ガスセンサー２９が、例えば、筐体２０１（ケーシング２０３）の側面などに配置されている。なお、上部ガスセンサー２９は、前面パネル２０４の吸込口２０５の上部付近に配置することが好ましい。
【００４７】
［下部ガスセンサー２４及び上部ガスセンサー２９の検出値に基づく室内機２０の制御］
次に、本実施形態の空気調和装置１の室内機２０において、下部ガスセンサー２４及び上部ガスセンサー２９の検出値をもとに実行される制御について説明する。
図５及び図６は、その制御の流れを示すフローチャートである。
【００４８】
この制御は、空気調和装置１の主電源が投入されることによって開始される。
【００４９】
室内機２０に主電源が投入されると、室内機２０の室内機制御ユニット２５がオンになり、続いて、室内機２０の下部ガスセンサー２４、上部ガスセンサー２９、室外機１０の室外機制御ユニット１６などが各々オンになる。この時点では、室内機２０の室内ファン２３は停止したままである。
【００５０】
室内機２０では、下部ガスセンサー２４及び上部ガスセンサー２９による冷媒濃度の検出が行われ、各ガスセンサーの検出値が室内機制御ユニット２５に入力される（ステップＳ１０１）。
【００５１】
室内機制御ユニット２５において、下部ガスセンサー２４及び上部ガスセンサー２９の検出値はセンサー入力部２５４によってデジタルデータに変換されてＣＰＵ２５１に入力される。ＣＰＵ２５１は、記憶部２５２に格納された制御プログラムに従い、漏洩冷媒を検知したか判定する（ステップＳ１０２）。ここで漏洩冷媒の検知とは、僅かな濃度でも冷媒を検出したことを意味する。
【００５２】
ＣＰＵ２５１は、漏洩冷媒を検知しない場合には（ステップＳ１０２のＮＯ）、ステップS１０１に戻って下部ガスセンサー２４及び上部ガスセンサー２９による冷媒濃度の検出を行う。ＣＰＵ２５１は、漏洩冷媒を検知した場合（ステップＳ１０２のＹＥＳ）、警報器を制御して異常を示す警報を発生させる（ステップＳ１０３）。続いて、主電源投入と同時に冷房若しくは暖房運転を開始していた場合、ＣＰＵ２５１は、空気調和装置１の冷房運転もしくは暖房運転をオフにするように制御をする（ステップＳ１０４）。
【００５３】
次に、ＣＰＵ２５１は、記憶部２５２に格納された制御プログラムに従い、下部ガスセンサー２４の検出値（以下、下部検出値と言う）と第１の基準値とを比較し、上部ガスセンサー２９の検出値（以下、上部検出値と言う）と第２の基準値とを比較する（ステップＳ１０５）。ここで、まず第１の基準値について説明する。
【００５４】
第１の基準値は、記憶部２５２に記憶され、下部ガスセンサー２４の検出位置において、冷媒の漏洩が発生し室内空間で空気中の冷媒濃度が可燃濃度範囲の領域が発生しているか否かを判断することを目的に定められた値であって、冷媒の可燃濃度範囲の下限（ＬＦＬ）となる値であってもよい。例えば、冷媒にＲ３２を用いる場合は、Ｒ３２の可燃濃度範囲は０．３０７ｋｇ／ｍ３〜０．７１２ｋｇ／ｍ３（１４．４ｖｏｌ％〜３３．４ｖｏｌ％）であるため、可燃濃度範囲の下限となる０．３０７ｋｇ／ｍ３（１４．４ｖｏｌ％）が第１の基準値となる。なお、可燃性冷媒の可燃濃度範囲は冷媒の種類によって異なるため、使用する冷媒に応じて適宜設定されるものとする。
【００５５】
次に、第２の基準値について説明する。第２の基準値は、記憶部２５２に記憶され、第１の基準値よりも低い値が設定される。Ｒ３２などの可燃性冷媒は空気よりも比重が大きいので、もし空気調和装置の運転停止中に室内に冷媒が漏洩した場合、その冷媒は室内の床面付近に滞留する。そのため、下部ガスセンサー２４によって床面付近の冷媒濃度を検出し、下部検出値が第１の基準値以上となっていた場合は、室内ファン２３を駆動させて床面付近に溜った冷媒を拡散させることが好ましいが、上部ガスセンサー２９によって室内空間の床面よりも高い位置における冷媒濃度が高い値だった場合、室内空間全体が可燃性冷媒の可燃濃度範囲の領域となる可燃性冷媒の重量が室内機から漏洩しており、室内ファン２３による冷媒の拡散によって、室内ファン２３の駆動される時点よりも可燃濃度領域が広がってしまうことが考えられる。したがって、第２の基準値は第１の基準値よりも低い値（例えば、第１の基準値の２５％）が設定され、上部ガスセンサー２９の検出値が第２の基準値以下とならない限り室内ファン２３を駆動させない。
【００５６】
ＣＰＵ２５１は、下部検出値が第１の基準値以上、且つ、上部検出値が第２の基準値以下である場合には（ステップＳ１０５のＹＥＳ）、室内ファン２３を駆動させるように室内ファン駆動部２５５に制御指令を与える（ステップＳ１０６）。すなわち、室内ファン２３を駆動させて冷媒を拡散させることによって、室内の可燃濃度領域を消滅させる。ステップＳ１０５及びステップＳ１０６を合わせて冷媒攪拌ステップと呼ぶ。
【００５７】
また、下部検出値が第１の基準値未満、且つ、上部検出値が第２の基準値を超えている場合（ステップＳ１０５のＮＯ）、室内ファン２３を駆動させて冷媒を拡散させると室内の可燃濃度領域が広がってしまうおそれがあるため、室内ファン２３をオフのままとする。すなわち、図７に示すような、室内ファン２３を駆動させると室内空間２全体が可燃濃度領域４となってしまう程冷媒が室内空間２に漏洩している場合や、室内空間２の床面付近の冷媒の濃度が可燃濃度範囲上限（ＵＦＬ）を超えている（領域３）場合には室内ファン２３を駆動させない。
【００５８】
ステップＳ１０６の後、室内機２０では、下部ガスセンサー２４及び上部ガスセンサー２９による冷媒濃度の検出が行われ、各ガスセンサーの検出値が室内機制御ユニット２５に入力される（図６のステップＳ２０１）。
【００５９】
室内機制御ユニット２５において、下部ガスセンサー２４及び上部ガスセンサー２９の検出値はセンサー入力部２５４によってデジタルデータに変換されてＣＰＵ２５１に入力される。ＣＰＵ２５１は、記憶部２５２に格納された制御プログラムに従い、下部及び上部検出値と第３の基準値を比較する（ステップＳ２０２）。ここで、第３の基準値について説明する。
【００６０】
第３の基準値としては、記憶部２５２に記憶され、第１の基準値よりも低く、第２の基準値よりも高い値が設定される。これは、前述の室内ファン２３の駆動（ステップＳ１０６）によって床面付近に溜った冷媒を拡散したことで室内の可燃濃度領域を消滅させたとしても、継続して室内機２０から冷媒が漏洩している場合は、室内空間全体の冷媒濃度が可燃濃度範囲に近づいていく。したがって、第３の基準値は第１の基準値よりも低く、第２の基準値よりも高い値（例えば、第１の基準値の７５％）が設定され、下部及び上部検出値が第３の基準値以上となる場合は室内ファン２３の駆動を停止させる。
【００６１】
ＣＰＵ２５１は、下部及び上部検出値が第３の基準値未満の場合には（ステップＳ２０２のＮＯ）、室内ファン２３の駆動を維持したまま下部ガスセンサー２４及び上部ガスセンサー２９による冷媒濃度の検出を続ける。ＣＰＵ２５１は、下部及び上部検出値が第３の基準値の場合（ステップＳ２０２のＹＥＳ）、室内ファン２３を停止させるように室内ファン駆動部２５５に制御指令を与え（ステップＳ２０３）、その後、室内機２０で、下部ガスセンサー２４及び上部ガスセンサー２９による冷媒濃度の検出が行われ、各ガスセンサーの検出値が室内機制御ユニット２５に入力されて（ステップＳ２０４）、図５のステップＳ１０５へ移行する。ステップＳ２０２及びステップＳ２０３を冷媒攪拌禁止ステップと呼ぶ。
【００６２】
その後、例えば、時間の経過によって拡散した冷媒が再度床面付近に滞留し始めると、ステップＳ１０５の判定基準（下部検出値が第１の基準値以上、且つ、上部検出値が第２の基準値以下）を満たし、室内ファン２３がオン状態となる（ステップＳ１０６）が、警報を確認した居住者やサービスマンによって窓を開けるなどの換気が行われると、下部検出値が第１の基準値を下回り室内ファン２３はオフ状態となる。
【００６３】
以上のように、本実施形態の空気調和装置１には、二つガスセンサーを用い、室内ファン２３の駆動によって可燃濃度領域が広がるかどうかを判定するための基準値が設けられている。室内機２０の室内機制御ユニット２５は、下部検出値が第１の基準値以上、且つ、上部検出値が第２の基準値以下である場合は室内ファン２３を駆動させる冷媒攪拌ステップと、冷媒攪拌ステップの後、下部及び上部検出値が第３の基準値以上である場合は室内ファン２３を停止させる冷媒攪拌禁止ステップを行う。これにより、室内の可燃濃度領域の濃度が可燃濃度範囲となる領域を最小限にとどめることで、可燃性冷媒に着火する危険性を低減させることができる。
【００６４】
なお、可燃性冷媒は、Ｒ３２の他、Ｒ３２を７０重量パーセント以上含む混合冷媒、またはプロパン若しくはプロパンを含む混合冷媒であってもよい。
【符号の説明】
【００６５】
１…空気調和装置
２０…室内機
２２…室内熱交換器
２３…室内ファン
２４…ガスセンサー
２５…室内機制御ユニット
【図１】
0006540106.tif 000002
【図２】
0006540106.tif 000003
【図３】
0006540106.tif 000004
【図４】
0006540106.tif 000005
【図５】
0006540106.tif 000006
【図６】
0006540106.tif 000007
【図７】
0006540106.tif 000008